(57)【要約】【課題】多数台の空調機器を用いることなく安価に構築でき、しかも、各段の植物栽培空間において、温度調整された空気を全域にわたって行き渡らせることが可能な植物栽培設備を提供する。【解決手段】植物栽培設備は、栽培室１内に設置され多段の栽培棚上に両側面が開放された植物栽培空間を有する植物栽培装置２ａ〜２ｈと、温度調整された空気を給気口３１Ａより栽培室１へ送り込む空調機器３Ａ，３Ｂと、植物栽培装置２ａ〜２ｈの長手方向の側面に沿う位置に配置され側面に沿って流れる空気を各段の栽培棚２５上の植物栽培空間２０へ送り込む複数台の送風機４とを備える。【選択図】図１
2019180239.tif 000002
【特許請求の範囲】
【請求項１】
栽培室内に設置され多段の栽培棚上に植物栽培空間を有する少なくとも１台の植物栽培装置と、温度調整された空気を給気口より栽培室へ送り込む空調機器と、前記植物栽培装置の長手方向の側面に沿う位置に配置され前記側面に沿って流れる空気を各段の栽培棚上の植物栽培空間へ送り込む複数台の第１の送風機とを備える植物栽培設備。
【請求項２】
前記給気口は、前記植物栽培装置の端部の上方に位置し、前記空調機器により温度調整された空気を下方へ送り込むものである請求項１に記載の植物栽培設備。
【請求項３】
請求項１または２に記載の植物栽培設備であって、前記給気口より栽培室へ送り込まれた温度調整された空気を前記植物栽培装置の長手方向の側面に沿う空気の流れに整える整流機構をさらに備える植物栽培設備。
【請求項４】
前記整流機構は、前記給気口の下方の前記植物栽培装置の長手方向の側面に沿う位置に配置される請求項３に記載の植物栽培設備。
【請求項５】
前記整流機構は、前記植物栽培装置の長手方向の側面に沿う所定の高さ位置に配置される第２の送風機と、前記第２の送風機の設置位置の近傍に配置される防風板とを含み、前記防風板は、前記給気口からの空気の流れの一部を前記第２の送風機の方向に向けるための衝突面を備える請求項３または４に記載の植物栽培設備。
【請求項６】
前記植物栽培装置は、栽培室内の両側端位置に各１台と、中間位置に偶数台とが互いに並列に設置されており、前記第１の送風機は、中間位置の隣合う対をなす植物栽培装置には互いに向き合う長手方向の側面に対をなす他の植物栽培装置に向けて設置され、栽培室の両側壁には側端位置の植物栽培装置に向けて設置される請求項１に記載の植物栽培設備。  
【請求項７】
前記栽培室の側壁面と側端位置の植物栽培装置との間、および中間位置の対をなす植物栽培装置間にそれぞれ通路が介在している請求項６に記載の植物栽培設備。
【請求項８】
前記植物栽培装置は、高所の所定の高さ位置に孔空き鋼板よりなる作業用の足場を備える請求項１に記載の植物栽培設備。
【発明の詳細な説明】
【技術分野】
【０００１】
この発明は、栽培室内で植物を栽培するのに構築される植物栽培設備に関し、この発明は特に、多段の栽培棚を有する植物栽培装置の各段の植物栽培空間へ温度調整された空気を送り込んで植物の生育に適した環境に整える植物栽培設備に関する。
【背景技術】
【０００２】
栽培室内で野菜等の植物を栽培するのに、多段の栽培棚を有する植物栽培装置が用いられている。各段の栽培棚の上方位置には、栽培棚上の植物栽培空間に向けて光を照射する照明装置が設置されている。各段の栽培棚の植物を等しく生育させるには、温度調整された適量の空気を各段の植物栽培空間へ行き渡らせ、これによって、各段の植物栽培空間の温度や湿度を全域にわたってほぼ同じに保つ必要がある。照明装置を点灯すると、照明装置の発熱により植物栽培空間の温度が上昇する。植物栽培空間へ適量の空気が行き渡らない場合、植物栽培空間は全域にわたって温度が同じにならず、温度のむらが生じる。
【０００３】
栽培室には、複数台の植物栽培装置が通路を挟んで並列に設置されるのが一般的である。この種の植物栽培設備として、複数の通路のうち、空調機器を設置した第１の通路と、誘引ファンを設置した第２の通路とを交互に設けたものがある（例えば、特許文献１参照）。この植物栽培設備では、温度調整された空気が空調機器から第１の通路へ送り出され、その空気は誘引ファンによりその隣の第２の通路へ引き込まれることで気流が生成され、栽培棚上の植物栽培空間を適量の空気が通過する。  
【先行技術文献】
【特許文献】
【０００４】
【特許文献１】特開２０１７−６０５２号公報
【発明の概要】
【発明が解決しようとする課題】
【０００５】
しかし、特許文献１に記載の植物栽培設備においては、複数の通路に空調機器を設置するため、設備費用が嵩むという問題がある。また、各段の植物栽培空間に温度調整された空気を行き渡らせるのが容易でなく、照明装置を点灯したとき、各段の植物栽培空間において、全域にわたって温度が同じにならず、温度のむらが生じるという問題もある。
【０００６】
この発明は、上記問題に着目してなされたもので、多数台の空調機器を用いることなく安価に構築でき、しかも、各段の植物栽培空間において、温度調整された空気を全域にわたって行き渡らせることが可能な植物栽培設備を提供することを目的とする。
【課題を解決するための手段】
【０００７】
この発明による植物栽培設備は、栽培室内に設置され多段の栽培棚上に植物栽培空間を有する少なくとも１台の植物栽培装置と、温度調整された空気を給気口より栽培室へ送り込む空調機器と、植物栽培装置の長手方向の側面に沿う位置に配置され側面に沿って流れる空気を各段の栽培棚上の植物栽培空間へ送り込む複数台の第１の送風機とを備えたものである。
【０００８】
上記した構成の植物栽培設備において、空調機器により温度調整された空気が給気口より栽培室内に送り込まれる。植物栽培装置の長手方向の側面に沿う位置に複数台の第１の送風機が配置されているので、植物栽培装置の長手方向の側面に沿って流れる空気は第１の送風機によって各段の栽培棚上の植物栽培空間へ送り込まれる。照明装置の点灯により各段の植物栽培空間の温度が上昇したとき、各段の植物栽培空間の全域に温度調整された空気が行き渡るので、植物栽培空間に温度のむらが生じない。  
【０００９】
好ましい一実施態様においては、給気口は、植物栽培装置の端部の上方に位置し、空調機器により温度調整された空気を下方へ送り込むものである。
【００１０】
好ましい実施態様においては、上記した構成に加えて、前記給気口より栽培室へ送り込まれた温度調整された空気を植物栽培装置の長手方向の側面に沿う空気の流れに整える整流機構を備えている。
【００１１】
整流機構は給気口の下方の植物栽培装置の長手方向の側面に沿う位置に配置されるのが望ましい。
【００１２】
この実施態様によると、温度調整された空気が給気口より栽培室内へ送り込まれると、その空気は整流機構によって植物栽培装置の長手方向の側面に沿う空気の流れに整えられる。
【００１３】
整流機構として種々の態様が考えられるが、一実施態様は、植物栽培装置の長手方向の側面に沿う所定の高さ位置に配置される第２の送風機と、第２の送風機の設置位置の近傍に配置される防風板とを含むものである。防風板は、給気口からの空気の流れの一部を第２の送風機の方向に向けるための衝突面を備える。
【００１４】
この実施態様においては、給気口からの空気の流れは、その一部が防風板の衝突面に衝突して第２の送風機の方向に向けられ、第２の送風機より植物栽培装置の長手方向の側面に沿う空気の流れに整えられる。給気口からの空気の流れの他の一部は防風板の位置を通過して下方へ向かう。
【００１５】
栽培室内に植物栽培装置を複数台設置する場合、植物栽培装置は、栽培室内の両側端位置に各１台と、中間位置に偶数台とが互いに並列に設置されるのが望ましい。この設置形態では、第１の送風機は、中間位置の隣合う対をなす植物栽培装置には互いに向き合う側面に対をなす他の植物栽培装置に向けて設置され、栽培室の両側壁には側端位置の植物栽培装置に向けて設置される。
【００１６】
上記の実施態様においては、栽培室の側壁と側端位置の植物栽培装置との間、および中間位置の対をなす植物栽培装置間にそれぞれ通路が介在している。
【００１７】
この実施態様において、両通路の通路幅が略同じに設定されると、各植物栽培装置では、第１の送風機から植物栽培空間へ空気が同じ条件で送り込まれ、各植物栽培装置は同じ環境に設定される。各通路の通路幅が異なる場合は、各植物栽培装置を同じ環境に設定するのに、第１の送風機の風量を調整することで対応する。
【００１８】
好ましい実施態様においては、植物栽培装置は、高所の所定の高さ位置に孔空き鋼板よりなる作業用の足場を備えている。
【００１９】
この実施態様によると、足場を構成する鋼板は孔によって通気性が確保されているので、足場が空気の流れを阻害するおそれはない。
【発明の効果】
【００２０】
この発明によれば、多数台の空調機器を用いないので、植物栽培設備を安価に構築できる。しかも、各段の植物栽培空間において、温度調整された空気を全域にわたって行き渡らせることが可能であり、温度のむらを生じさせない。さらに、第１の送風機の動作を領域単位で制御することにより、栽培エリア毎に異なる環境に整えることができ、仕切壁などを設けることなく、植物の種類や照明装置の点灯時間に応じて、栽培に適した温度条件に調整することができる。
【図面の簡単な説明】
【００２１】
【図１】栽培室に構築された植物栽培設備の一実施形態の構成を示す平面図である。
【図２】図１のI−I線の側より見た植物栽培装置の概略構成を示す説明図である。
【図３】図１のII−II線の側より見た隣合う植物栽培装置の概略構成を示す説明図である。
【図４】植物栽培装置の一部分を拡大して示す側面図である。
【図５】第１の送風機の外観と取付状態を示す説明図である。
【発明を実施するための形態】
【００２２】
図１は、植物栽培設備の一実施形態を示す。この植物栽培設備は、植物工場などの栽培室１に構築されるもので、野菜、果物などの植物が栽培される。栽培室１は、平面視した形状が長方矩形状であり、側壁１１，１２および前後の端壁１３，１４により囲まれている。この囲まれた密閉空間内には複数台（図示例では８台）の植物栽培装置２ａ〜２ｈが設置されている。なお、植物栽培装置の設置台数は１台であってもよく、複数台であってもよい。
【００２３】
図１は、栽培室１および栽培室１内の植物栽培設備の全体を上方より平面視して表した図であり、図１において矢印ｘで示す方向を栽培室１の長さ方向、矢印ｙで示す方向を幅方向とする。図２は、植物栽培装置２ｂについて全段の栽培棚２５を栽培室１の側壁１２の側から見て表した説明のための図である。図３は、植物栽培装置２ｂ，２ｃについて全段の栽培棚２５を栽培室１の前端壁１３の側から見て表した説明のための図である。全ての植物栽培装置２ａ〜２ｈは、同じの形態および同じ構成のものであるが、栽培棚２５の段数は図示のもの（２０段）に限らず、それより少なくても多くてもよい。
【００２４】
この実施態様では、栽培室１は２つの左右の領域１Ａ，１Ｂに区分されている。一方の左側の領域１Ａには、両側端位置に各１台の植物栽培装置２ａ，２ｄが、中間位置に対をなす２台の植物栽培装置２ｂ，２ｃが、それぞれ互いに並列に設置されている。他方の右側の領域１Ｂには、同様に、両側端位置に各１台の植物栽培装置２ｅ，２ｈが、中間位置に隣合う対をなす２台の植物栽培装置２ｆ，２ｇが、それぞれ互いに並列に設置されている。なお、中間位置には、さらに多数台の植物栽培装置２を設置してもよく、この場合、設置台数は偶数台にするのが望ましい。
【００２５】
以下の説明において、説明の便宜上、各植物栽培装置２ａ〜２ｈを、単に植物栽培装置２と表現する場合がある。植物栽培装置２は、長さ方向ｘに沿う長手方向の面を側面２１，２２、側面２１，２２と直角をなす幅方向ｙに沿う面を前端面２３および後端面２４とする。両側面２１，２２および前後の各端面２３，２４は空気の出入りが自由な開放された面になっている。一方の領域１Ａの各植物栽培装置２ａ〜２ｄと他方の領域１Ｂの各植物栽培装置２ｅ〜２ｈとは、幅方向ｙに沿って略同じ間隔で配置され、幅方向ｙの同位置の植物栽培装置２（例えば植物栽培装置２ａ，２ｅ）は一直線に並んでいる。
【００２６】
一方の側壁１１と一側端位置の植物栽培装置２ａ，２ｅとの間、および他方の側壁１２と他側端位置の植物栽培装置２ｄ、２ｈとの間に通路１５Ｐ，１５Ｒが介在し、対をなす植物栽培装置２ｂ，２ｃ間および２ｆ，２ｇ間にも通路１５Ｑが介在する。各通路１５Ｐ，１５Ｑ，１５Ｒは通路幅が同じに設定されている。植物栽培装置２ａ，２ｂ間、２ｃ，２ｄ間、２ｅ，２ｆ間、２ｇ，２ｈ間にも通路１５Ｓが介在している。これらの通路１５Ｓは通路１５Ｐ，１５Ｑ，１５Ｒと同じ通路幅であってもよく、異なる通路幅であってもよい。
【００２７】
図示例の植物栽培装置２は、図４に示すように、例えば植物Ｆを養液に浸して水耕栽培するための栽培ベッド２６ａと、栽培ベッド２６ａを下方よりほぼ水平な状態で支持する支持台２６ｂとを有し、栽培ベッド２６ａと支持台２６ｂとで栽培棚２５を構成している。栽培棚２５は、上下多段（この実施例では２０段）に設けられている。図示していないが、各支持台２６ｂは、複数本の支柱により囲まれる空間内に位置し、縦横の枠材によって組み立てられている。
【００２８】
各段の栽培棚２５上は、長手方向の各側面１１，１２および前後の各端面１３，１４が開放された植物栽培空間２０を構成している。各植物栽培空間２０には、特に側面１１，１２から温度調整された空気が送り込まれる。各段の植物栽培空間２０の上方位置には栽培棚２５と平行に複数の昇降可能な可動台２７が設けられる。各可動台２７は、平面形状が長方形状であり、支柱に各可動台２７を複数の高さ位置に段階的に位置決めする機構（図示せず）が設けられている。各段の可動台２７には、栽培ベッド２６ａに植設された植物Ｆに向けて光を照射する照明装置２８が配設されている。照明装置２８は、栽培棚２５の上面の全体に光を照射するために、多数個のＬＥＤを光源として用いているが、光源はＬＥＤに限らず、複数本の長尺状の光源（例えば蛍光灯）であってもよく、また、パネル型のような異なる形状のＬＥＤ、さらにはその他の光源であってもよい。また、空気の送り込みを阻害しない範囲であれば、反射板などの部材を各栽培棚２５の適所に取り付けてもよい。
【００２９】
植物栽培設備は、栽培室１の外（室外）に設置された２台の空調機器３Ａ，３Ｂを含んでいる。各植物栽培装置２ａ〜２ｈの一端部の上方には、一方の空調機器３Ａにダクト３３Ａを介して連通する４個（合計８個）の給気口３１Ａが位置している。各植物栽培装置２ａ〜２ｈの他端部の上方には、他方の空調機器３Ｂにダクト３３Ｂを介して連通する３個（合計６個）の給気口３１Ｂが位置している。各給気口３１Ａ，３１Ｂは栽培室１の天井１０に設けられており、各給気口３１Ａ，３１Ｂから温度調整された空気が下方に向けて送り込まれる。図２において、白抜きの矢印１００は、給気口３１Ａより栽培室１内へ送り込まれる空気の流れを示している。空気の流れ１００は、一部１０１が後述する整流機構５Ｐ，５Ｑ，５Ｒの防風板７に衝突し、他の一部１０２が防風板７の位置を通過して床面に達する。
【００３０】
各給気口３１Ａ，３１Ｂには、空調機器３Ａ，３Ｂの他、例えば二酸化炭素のような気体を発生する気体発生装置を接続してもよい。気体発生装置より供給される気体を各植物栽培装置２ａ〜２ｈの植物栽培空間２０へ万遍なく供給することで、均一な環境を実現することが可能となる。なお、気体発生装置で発生する気体は、二酸化炭素に限らず、各種の空気成分や湿度を調整した空気であってもよい。
【００３１】
植物栽培設備は、８個の給気口３１Ａより栽培室１へ送り込まれた空気を植物栽培装置２ａ〜２ｈの長手方向の側面２１，２２に沿う空気の流れ１０３に整える複数の整流機構５Ｐ，５Ｑ，５Ｒと、各植物栽培装置２ａ〜２ｈの長手方向の側面２１，２２に沿う位置に配置され側面２１，２２に沿って流れる空気を各段の栽培棚２５上の植物栽培空間２０へ送り込む複数台の第１の送風機４とを含んでいる。以下、第１の送風機４は単に「送風機４」という。
【００３２】
一方の側壁１１の側の側端位置に設置された植物栽培装置２ａ，２ｅにおいては、整流機構５Ｐにより側壁１１と対向する側面２１に沿う空気の流れ１０３に整えられる。他方の側壁１２の側の側端位置に設置された植物栽培装置２ｄ，２ｈにおいては、整流機構５Ｒにより側壁１２と対向する側面２２に沿う空気の流れ１０３に整えられる。中間位置の対をなす隣合う植物栽培装置２ｂ，２ｃおよび２ｆ、２ｇにおいては、整流機構５Ｑにより互いに対向する側面２１，２２に沿う空気の流れ１０３に整えられる。
【００３３】
各整流機構５Ｐ，５Ｑ，５Ｒは、図２および図３に例示するように、植物栽培装置２ａ〜２ｈの側面２１，２２に沿う複数の高さ位置Ｈ１〜Ｈ４であって各通路１５Ｐ，１５Ｑ，１５Ｒの上方位置にそれぞれ配置される第２の送風機６と、各高さ位置Ｈ１〜Ｈ４の第２の送風機６の各設置位置の近傍に配置される防風板７とを含む。第２の送風機６は、箱形の筐体の前面に空気吐出口を上下２段に開口させた構造のものであり、例えば、三菱電機株式会社製の産業用送風機（型番「ＡＨ−１００６ＳＡ」）を用いることができ、植物栽培装置２の適所に取付け固定される。各防風板７は、第２の送風機６の幅より長い金属製または合成樹脂製の帯板材をもって構成される。防風板７の上面は、給気口３１Ａからの空気の流れ１００の一部１０１が衝突して第２の送風機６の方向に向けさせるための衝突面を構成する。
【００３４】
中央位置の給気口３１Ｂの下方にも、整流機構５Ｐ，５Ｑ，５Ｒの防風板７と同じ高さ位置に、栽培室１の幅方向に沿う帯板状の防風板７０が設置されている。各給気口３１Ｂより栽培室１内に送り込まれる空気の流れの一部は防風板７０に衝突し、他の一部は防風板７０の位置を通過して床面に達する。
なお、空調機器３Ａ，３Ｂは必ずしも室外に設置する必要はなく、栽培室１の内部に設置することも可能である。
【００３５】
各通路１５Ｐ，１５Ｑ，１５Ｒは、第２の送風機６による空気の流れ１０３が通り抜けることが可能な空間である。他の各通路１５Ｓの上方には、天井１０に４個づつ設けられた排気口３２が位置しており、各通路１５Ｓは排気口３２に至る空気の流れが通り抜けることが可能な空間である。各通路１５Ｐ，１５Ｑ，１５Ｒ，１５Ｓは、作業員が作業のために歩行することが可能である。各植物栽培装置２ａ〜２ｈの高所の所定の高さ位置には、高所作業のために歩行することが可能な足場８が両側面２１，２２および前後の端面２３，２４に沿って設けられている。足場８は空気の流れを阻害しない構成のもの、例えば孔空き鋼板により形成されている。
【００３６】
図５は、送風機４の外観および取付状態を示している。送風機４として、一般に「扇風機」と呼ばれるものを使用しており、本体部４１に組み込まれたモータにより回転駆動される３〜５枚の羽根板４２を有している。本体部４１は脚部４３の先端に水平方向に首振り可能に支持されている。脚部４３は側壁１１，１２または植物栽培装置２の支持台２６や支柱等に取り付けられている。この実施形態では、送風機４を向きを固定して使用しているが、温度分布の一層の均一化をはかるために、一定の角度範囲にわたって首を振らせて送風機の向きを連続的に変えることも可能である。送風機４は、同じ通路幅Ｄの通路１５Ｐ，１５Ｑ，１５Ｒを隔てて対向する植物栽培装置２に対して温度調整された空気を送り込み、これにより各段の植物栽培空間２０を全域にわたって一定の温度（例えば２０℃）に保つ。  
【００３７】
図１および図２には、送風機４の配置例が示してある。図１では送風機４は楕円で示し、図２では円で示してあり、図１の点線の矢印は風向きを示す。栽培室１の一側端位置の植物栽培装置２ａ，２ｅに対して温度調整された空気を送り込むために、栽培室１の一方の側壁１１に複数台の送風機４が植物栽培装置２ａ，２ｅに向けて設置されている。他側端位置の植物栽培装置２ｄ，２ｈに対して温度調整された空気を送り込むために、栽培室１の他方の側壁１２に複数台の送風機４が植物栽培装置２ｄ，２ｈに向けて設置されている。
【００３８】
中間位置の一方の植物栽培装置２ｂ，２ｆに対して温度調整された空気を送り込むために、中間位置の他方の植物栽培装置２ｃ，２ｇの側面２１に複数台の送風機４が植物栽培装置２ｂ，２ｆに向けて設置されている。中間位置の他方の植物栽培装置２ｃ，２ｇに対して温度調整された空気を送り込むために、中間位置の一方の植物栽培装置２ｂ，２ｆの側面２２に複数台の送風機４が植物栽培装置２ｃ，２ｇに向けて設置されている。
【００３９】
図１および図２に示されるように、植物栽培装置２の全ての段の植物栽培空間２０へ温度調整された空気を送り込むために、５段の栽培棚２５を１ブロックとし、ブロック毎に６台の送風機４を所定の間隔で配置し、さらに、６台の送風機４を上列３台、下列３台に分けかつ位置をずらせて配置している。図１および図２において、上列の送風機４は斜線が施された楕円や円で表し、下列の送風機４は白抜きの楕円や円で表している。
【００４０】
中間位置の隣合う対をなす植物栽培装置２ｂ，２ｃおよび２ｆ，２ｇにおいては、一方の植物栽培装置２ｂ，２ｆの側面２２に設置される送風機４と他方の植物栽培装置２ｃ、２ｇの側面２１に設置される送風機４は、通路１５Ｑを隔てて向き合う送風機４からの空気が通路１５Ｑ上で衝突しないように、上下各列の配置を上下逆にしており、これにより対応位置の送風機４が同じ高さに位置しないようにしている。
【００４１】
また、この実施形態では、送風機４および第２の送風機６は、栽培エリア毎に異なる環境に整えるために、個別かつ領域単位でオン、オフを制御したり、風量などを調整したりすることが可能となっている。これにより、仕切壁などを設けることなく、植物の種類や照明装置の点灯時間に応じて、栽培に適した温度条件に調整することが可能である。
【００４２】
上記した植物栽培設備において、栽培室１内に空調機器３Ａ，３Ｂにより温度調整された空気が給気口３１Ａ，３１Ｂより下向きに送り込まれる。吸気口３１Ａより送り込まれた空気の流れ１００は、複数の高さＨ１〜Ｈ４の位置において、その一部１０１が整流機構５Ｐ，５Ｑ，５Ｒの防風板７の衝突面に衝突して第２の送風機６の方向に向けられる。第２の送風機６は植物栽培装置２ａ〜２ｈの側面２１，２２に沿う空気の流れ１０３を生成する。給気口３１Ａからの空気の流れ１００の他の一部１０２は各防風板７の位置を通過して下方へ向かう。なお、給気口３１Ｂより送り込まれた空気の流れは、複数の高さＨ１〜Ｈ４の位置において、その一部が防風板７０の衝突面に衝突し、他の一部は各防風板７０の位置を通過して下方へ向かう。
【００４３】
栽培室１の一方の側壁１１には、一側端位置の植物栽培装置２ａ，２ｅに向けて複数台の送風機４が配置されているので、植物栽培装置２ａ，２ｅの側面２１に沿って流れる空気は送風機４により各段の栽培棚２５上の植物栽培空間２０へ送り込まれて植物栽培空間２０の全域に行き渡る。
【００４４】
栽培室１の他方の側壁１２には、他側端位置の植物栽培装置２ｄ，２ｈに向けて複数台の送風機４が配置されているので、植物栽培装置２ｄ，２ｈの側面２２に沿って流れる空気は送風機４により各段の栽培棚２５上の植物栽培空間２０へ送り込まれて植物栽培空間２０の全域に行き渡る。
【００４５】
中間位置の一方の植物栽培装置２ｂ，２ｆの側面２２には、対をなす隣合う植物栽培装置２ｃ、２ｇに向けて複数台の送風機４がそれぞれ配置されているので、植物栽培装置２ｃ，２ｇの側面２１に沿って流れる空気は送風機４によって各段の栽培棚２５上の植物栽培空間２０へ送り込まれて植物栽培空間２０の全域に行き渡る。
【００４６】
中間位置の他方の植物栽培装置２ｃ，２ｇの側面２１には、対をなす隣合う植物栽培装置２ｂ、２ｆに向けて複数台の送風機４がそれぞれ配置されているので、植物栽培装置２ｂ，２ｆの側面２２に沿って流れる空気は送風機４によって各段の栽培棚２５上の植物栽培空間２０へ送り込まれて植物栽培空間２０の全域に行き渡る。
【００４７】
各植物栽培装置２ａ〜２ｈにおいて、各段の植物栽培空間２０の上方の照明装置２８が点灯すると、各段の植物栽培空間２０の温度が上昇するが、空調機器３Ａ，３Ｂにより温度調整された空気が各給気口３１Ａ，３１Ｂより栽培室１へ送り込まれると、栽培室１の全体が調整された温度に設定されるとともに、各段の植物栽培空間２０の全域に温度調整された空気が行き渡ることで、各植物栽培空間２０は全域にわたって調整された一定の温度に保たれ、温度のむらが生じない。これにより各植物栽培装置２ａ〜２ｈは全段の植物栽培空間２０が同じ環境に保たれ、各段の栽培棚２５の植物Ｆは等しく生育する。
【符号の説明】
【００４８】
１    栽培室
２，２ａ〜２ｈ  植物栽培装置
３Ａ，３Ｂ  空調機器
４    第１の送風機（送風機）
５Ｐ，５Ｑ，５Ｒ  整流機構
６  第２の送風機
７  防風板
８  作業用の足場
１１，１２  側壁
１５Ｐ，１５Ｑ，１５Ｒ，１５Ｓ  通路
２０  植物栽培空間
２１，２２  側面
２５  植物栽培棚
２８  照明装置
３１Ａ，３１Ｂ  給気口
３２  排気口
【図１】
2019180239.tif 000003
【図２】
2019180239.tif 000004
【図３】
2019180239.tif 000005
【図４】
2019180239.tif 000006
【図５】
2019180239.tif 000007
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
栽培室内に通路を挟んで並列に設置され多段の栽培棚上に植物栽培空間を有する複数台の植物栽培装置と、温度調整された空気を前記各植物栽培装置の端部の上方に位置する給気口より下方の栽培室へ送り込む空調機器と、前記給気口の下方の前記植物栽培装置の長手方向の側面に沿う位置に配置され前記給気口より栽培室へ送り込まれた温度調整された空気を前記植物栽培装置の長手方向の側面に沿う空気の流れに整える整流機構と、前記植物栽培装置の長手方向の側面に沿う位置に配置され前記側面に沿って流れる空気を各段の栽培棚上の植物栽培空間へ送り込む複数台の第１の送風機とを備える植物栽培設備。    
【請求項２】
前記整流機構は、前記植物栽培装置の長手方向の側面に沿う所定の高さ位置に配置される第２の送風機と、前記第２の送風機の設置位置の近傍に配置される防風板とを含み、前記防風板は、前記給気口からの空気の流れの一部を前記第２の送風機の方向に向けるための衝突面を備える請求項１に記載の植物栽培設備。
【請求項３】
前記植物栽培装置は、栽培室内の両側端位置に各１台と、中間位置に偶数台とが互いに並列に設置されており、前記第１の送風機は、中間位置の隣合う対をなす植物栽培装置には互いに向き合う長手方向の側面に対をなす他の植物栽培装置に向けて設置され、栽培室の両側壁には側端位置の植物栽培装置に向けて設置される請求項１に記載の植物栽培設備。  
【請求項４】
前記栽培室の側壁面と側端位置の植物栽培装置との間、および中間位置の対をなす植物栽培装置間にそれぞれ通路が介在している請求項３に記載の植物栽培設備。
【請求項５】
前記植物栽培装置は、高所の所定の高さ位置に孔空き鋼板よりなる作業用の足場を備える請求項１に記載の植物栽培設備。 
【手続補正２】
【補正対象書類名】明細書
【補正対象項目名】０００７
【補正方法】変更
【補正の内容】
【０００７】
この発明による植物栽培設備は、栽培室内に通路を挟んで並列に設置され多段の栽培棚上に植物栽培空間を有する複数台の植物栽培装置と、温度調整された空気を各植物栽培装置の端部の上方に位置する給気口より下方の栽培室へ送り込む空調機器と、給気口の下方の植物栽培装置の長手方向の側面に沿う位置に配置され給気口より栽培室へ送り込まれた温度調整された空気を植物栽培装置の長手方向の側面に沿う空気の流れに整える整流機構と、植物栽培装置の長手方向の側面に沿う位置に配置され側面に沿って流れる空気を各段の栽培棚上の植物栽培空間へ送り込む複数台の第１の送風機とを備えたものである。
【手続補正３】
【補正対象書類名】明細書
【補正対象項目名】０００８
【補正方法】変更
【補正の内容】
【０００８】
上記した構成の植物栽培設備において、空調機器により温度調整された空気が給気口より栽培室内に送り込まれ、その空気は整流機構によって植物栽培装置の長手方向の側面に沿う空気の流れに整えられる。植物栽培装置の長手方向の側面に沿う位置に複数台の第１の送風機が配置されているので、植物栽培装置の長手方向の側面に沿って流れる空気は第１の送風機によって各段の栽培棚上の植物栽培空間へ送り込まれる。照明装置の点灯により各段の植物栽培空間の温度が上昇したとき、各段の植物栽培空間の全域に温度調整された空気が行き渡るので、植物栽培空間に温度のむらが生じない。  
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】